(57)【要約】【課題】戸が勝手に閉まるのを防止するとともに、戸を簡単かつ確実に閉めることができるようにする。【解決手段】戸構造１０は、開口部１２に設けられた開口枠１４、開口枠１４に設けられた戸１６、および戸１６を閉める際に戸１６の勢いを減衰させる緩衝装置１８を備えている。戸１６を閉める際には、戸１６を完全に閉める直前に緩衝装置本体３４の吸着部４４が吸着部材３６に磁力により吸着される。すると、吸着時の衝撃によって保持部４６の保持状態が解除されるとともに、移動手段４８によって移動部４２が速度制御されながら移動され、移動手段４８から付与される力によって戸１６が完全に閉められる。戸１６を開ける際には、戸１６の開方向への移動に伴って吸着部材３６およびこれに接合された移動部４２が移動される。そして、移動部４２が所定位置まで移動されたときに、保持部４６によって移動部４２が保持される。【選択図】図８
2008133659.tif 000002
【特許請求の範囲】
【請求項１】
開口部に設けられた戸を閉める際に前記戸の勢いを減衰させることによって前記戸および前記開口部に加わる衝撃を緩和する戸の緩衝装置であって、
前記戸または前記開口部のいずれか一方に取り付けられた緩衝装置本体と、前記戸または前記開口部のいずれか他方に取り付けられた吸着部材とを備えており、
前記緩衝装置本体は、前記戸の開閉方向へ移動可能に構成された移動部と、前記移動部に設けられ、前記戸を完全に閉める直前に、前記吸着部材に対して磁力により吸着される吸着部と、前記移動部を所定位置で保持し、前記吸着部に前記吸着部材が吸着されたときの衝撃によって保持状態が解除される保持部と、前記保持部の保持状態が解除された状態において前記戸を完全に閉めるように前記移動部を速度制御しながら移動させる移動手段とを有している、戸の緩衝装置。
【請求項２】
前記保持部は磁石を有しており、前記磁石の磁力によって保持状態が維持されている、請求項１に記載の戸の緩衝装置。
【請求項３】
前記移動手段は、前記移動部へ移動に要する力を付与するスプリングと、前記移動部へ速度制御に要する力を付与するダンパとを有しており、前記ダンパによって前記戸の勢いを減衰させながら、前記スプリングによって前記戸を完全に閉めるように前記移動部を移動させる、請求項１または２に記載の戸の緩衝装置。
【請求項４】
前記吸着部は、前記移動部に対して首振り自在に取り付けられている、請求項１ないし３のいずれかに記載の戸の緩衝装置。
【請求項５】
開口部に設けられた開口枠、前記開口枠に設けられた戸、および前記戸を閉める際に前記戸の勢いを減衰させることによって前記戸および前記開口部に加わる衝撃を緩和する緩衝装置を備える戸構造であって、
前記緩衝装置は、前記戸または前記開口部のいずれか一方に取り付けられた緩衝装置本体と、前記戸または前記開口部のいずれか他方に取り付けられた吸着部材とを備えており、
前記緩衝装置本体は、前記戸の開閉方向へ移動可能に構成された移動部と、前記移動部に設けられ、前記戸を完全に閉める直前に、前記吸着部材に対して磁力により吸着される吸着部と、前記移動部を所定位置で保持し、前記吸着部に前記吸着部材が吸着されたときの衝撃によって保持状態が解除される保持部と、前記保持部の保持状態が解除された状態において前記戸を完全に閉めるように前記移動部を速度制御しながら移動させる移動手段とを有しており、前記吸着部が前記吸着部材に吸着される位置を、前記戸と前記開口枠との間に指が入る程度の隙間を確保できる位置に設定している、戸構造。
【発明の詳細な説明】
【技術分野】
【０００１】
本発明は、建物の開口部に設けられた戸を閉める際に戸の勢いを減衰させることによって戸および開口部に加わる衝撃を緩和する戸の緩衝装置、および当該戸の緩衝装置を備える戸構造に関する。
【背景技術】
【０００２】
マンションまたは戸建住宅等の建物においては、玄関、トイレまたは部屋等の出入口すなわち開口部に開き戸または引き戸等の戸が設けられているが、戸が勢いよく閉められた際には、衝撃によって戸および開口部が破損したり、過大な音が発生したりするおそれがある。また、開口枠に手を掛けている場合には、開口枠と戸との間で指を挟むおそれがある。
【０００３】
そこで、従来では、戸および開口部に加わる衝撃を緩和する緩衝装置が種々開発されており、その一例として、開き戸でよく用いられる「ドアクローザー」や、特許文献１に開示された「緩衝装置」や、特許文献２に開示された「閉鎖装置」等が公知である。
【特許文献１】特開平４−２５８４８３号
【特許文献２】特開平９−２５６７２９号
【発明の開示】
【発明が解決しようとする課題】
【０００４】
従来の「ドアクローザー」は、戸に対して常時閉方向の力を付与し、戸の勢いを減衰させながら戸を強制的に閉めるものであり、「緩衝装置」は、戸を閉める力に対抗する力を戸に付与することによって戸の勢いを減衰させるものである。そして、「閉鎖装置」は、戸が完全に閉められる直前に、戸に対して閉方向の力を付与し、戸の勢いを減衰させながら戸を強制的に閉めるものである。したがって、これらのいずれによっても、上述した衝撃による問題点を解消することができる。
【０００５】
しかしながら、「ドアクローザー」では、戸を開いた状態で保持する機能を有していないため、戸が勝手に閉まって通行の妨げになるという問題があった。また、戸と開口枠とを連結する構成であるため、ドアクローザーの位置決め作業や取付け作業が困難であるとともに、メンテナンス時における戸の取外し作業が困難であるという問題があった。一方、「緩衝装置」では、戸を強制的に閉める機能を有していないため、戸を完全に閉めるためには人が力を加えなければならず、子供や高齢者等の力が弱い人には負担が大きいという問題があった。そして、「閉鎖装置」では、「戸を強制的に閉める力」として磁力を用いていたので、戸が完全に閉められる直前まで当該力を戸に作用させることができず、動作の確実性に問題があった。
【０００６】
なお、このような問題を解決する手段として、「ドアクローザー」、「緩衝装置」および「閉鎖装置」を適宜組み合わせて用いることも考えられるが、その場合には、設置に手間がかかるとともに、見かけがよくないという別の問題を生じるおそれがあった。
【０００７】
それゆえに本発明の主たる課題は、設置の手間の増大や見かけの悪化を招くことなく、戸が勝手に閉まるのを防止できるとともに、戸を簡単かつ確実に閉めることができる、戸の緩衝装置および戸構造を提供することである。
【課題を解決するための手段】
【０００８】
請求項１に記載した発明は、「開口部１２に設けられた戸１６を閉める際に前記戸１６の勢いを減衰させることによって前記戸１６および前記開口部１２に加わる衝撃を緩和する戸の緩衝装置１８であって、前記戸１６または前記開口部１２のいずれか一方に取り付けられた緩衝装置本体３４と、前記戸１６または前記開口部１２のいずれか他方に取り付けられた吸着部材３６とを備えており、前記緩衝装置本体３４は、前記戸１６の開閉方向へ移動可能に構成された移動部４２と、前記移動部４２に設けられ、前記戸１６を完全に閉める直前に、前記吸着部材３６に対して磁力により吸着される吸着部４４と、前記移動部４２を所定位置で保持し、前記吸着部４４に前記吸着部材３６が吸着されたときの衝撃によって保持状態が解除される保持部４６と、前記保持部４６の保持状態が解除された状態において前記戸１６を完全に閉めるように前記移動部４２を速度制御しながら移動させる移動手段４８とを有している、戸の緩衝装置１８」である。
【０００９】
本発明において、戸１６を閉める際には、戸１６を完全に閉める直前に緩衝装置本体３４の吸着部４４が吸着部材３６に磁力により吸着される。すると、吸着時の衝撃によって保持部４６の保持状態が解除されるとともに、移動手段４８によって移動部４２が速度制御されながら移動され、移動手段４８から付与される力によって戸１６が完全に閉められる。戸１６を開ける際には、戸１６の開方向への移動に伴って吸着部材３６およびこれに接合された移動部４２が移動される。そして、移動部４２が所定位置まで移動されたときに、保持部４６によって移動部４２が保持される。その状態から戸１６をさらに開方向へ移動させると、吸着部４４と吸着部材３６との磁力による吸着が解除され、その後は、磁力の影響を受けることなく戸１６が開かれる。
【００１０】
請求項２に記載した発明は、請求項１に記載した「戸の緩衝装置１８」において、「前記保持部４６は磁石を有しており、前記磁石の磁力によって保持状態が維持されている」ことを特徴とする。
【００１１】
本発明では、保持部４６を構成する磁石（移動側吸着部７２または固定側吸着部７４）の磁力によって移動部４２が所定位置で保持される。
【００１２】
請求項３に記載した発明は、請求項１または２に記載した「戸の緩衝装置１８」において、「前記移動手段４８は、前記移動部４２へ移動に要する力を付与するスプリング７６と、前記移動部４２へ速度制御に要する力を付与するダンパ７８とを有しており、前記ダンパ７８によって前記戸１６の勢いを減衰させながら、前記スプリング７６によって前記戸１６を完全に閉めるように前記移動部４２を移動させる」ことを特徴とする。
【００１３】
本発明では、移動手段４８を構成するスプリング（駆動スプリング７６）の力が移動部４２へ与えられ、この力によって戸１６が完全に閉められる。また、戸１６を完全に閉める過程においては、ダンパ（速度制御部７８）によって戸１６の勢いが減衰される。
【００１４】
請求項４に記載した発明は、請求項１ないし３のいずれかに記載の「戸の緩衝装置１８」において、「前記吸着部４４は、前記移動部４２に対して首振り自在に取り付けられている」ことを特徴とする。
【００１５】
本発明では、吸着部４４が首振り自在に構成されているので、戸１６の角度に合わせて吸着部４４が動くこととなり、吸着部４４と吸着部材３６とがよりスムーズかつ確実に吸着されることになる。
【００１６】
請求項５に記載した発明は、「開口部１２に設けられた開口枠１４、前記開口枠１４に設けられた戸１６、および前記戸１６を閉める際に前記戸１６の勢いを減衰させることによって前記戸１６および前記開口部１２に加わる衝撃を緩和する緩衝装置１８を備える戸構造１０であって、前記緩衝装置１８は、前記戸１６または前記開口部１２のいずれか一方に取り付けられた緩衝装置本体３４と、前記戸１６または前記開口部１２のいずれか他方に取り付けられた吸着部材３６とを備えており、前記緩衝装置本体３４は、前記戸１６の開閉方向へ移動可能に構成された移動部４２と、前記移動部４２に設けられ、前記戸１６を完全に閉める直前に、前記吸着部材３６に対して磁力により吸着される吸着部４４と、前記移動部４２を所定位置で保持し、前記吸着部４４に前記吸着部材３６が吸着されたときの衝撃によって保持状態が解除される保持部４６と、前記保持部４６の保持状態が解除された状態において前記戸１６を完全に閉めるように前記移動部４２を速度制御しながら移動させる移動手段４８とを有しており、前記吸着部４４が前記吸着部材３６に吸着される位置Ｐを、前記戸１６と前記開口枠１４との間に指Ｆが入る程度の隙間Ｓを確保できる位置に設定している、戸構造１０」である。
【００１７】
本発明は、請求項１に記載した戸の緩衝装置１８を用いた戸構造１０であり、吸着部４４が吸着部材３６に吸着される位置Ｐを、戸１６と開口枠１４との間に指Ｆが入る程度の隙間Ｓを確保できる位置に設定している。したがって、開口枠１４に指Ｆを掛けていた場合でも、位置Ｐにおいて戸１６の勢いが減衰されるので、すなわち隙間Ｓを確保した状態で戸１６の勢いが減衰されるので、指Ｆを挟む事故を回避できる。
【発明の効果】
【００１８】
請求項１〜５に記載した発明によれば、戸１６を完全に閉める直前に緩衝装置本体３４の吸着部４４が吸着部材３６に磁力により吸着され、その後は、移動手段４８によって移動部４２が速度制御されながら移動されるので、戸１６および開口部１２に衝撃が加わるのを防止できる。
【００１９】
また、移動手段４８から付与される力によって戸１６が完全に閉められるので、子供や高齢者等の力が弱い人でも簡単かつ確実に戸１６を閉めることができる。そして、戸１６を完全に開いた状態では、吸着部４４と吸着部材３６との磁力による吸着が解除されるので、戸１６が勝手に閉まって通行の妨げになるという問題を解消できる。
【００２０】
さらに、戸１６または開口部１２のいずれか一方に緩衝装置本体３４を取り付けるとともに、いずれか他方に吸着部材３６を取り付けるだけでよいので、設置の手間の増大や見かけの悪化を招く心配はなく、また、メンテナンス時における戸の取外し作業を容易に行うことができる。
【発明を実施するための最良の形態】
【００２１】
図１は、本発明が適用された戸構造１０を示す一部断面平面図であり、図２は、戸構造１０を示す正面図である。
【００２２】
戸構造１０（図１、図２）は、開口部１２に設けられた開口枠１４、開口枠１４に設けられた戸１６、および戸１６を閉める際に戸１６の勢いを減衰させることによって戸１６および開口部１２に加わる衝撃を緩和する緩衝装置１８を備えている。
【００２３】
開口部１２は、マンションまたは戸建住宅等の建物において、玄関、トイレまたは部屋等の出入口や、収納等の建具の出入口となる部分であり、開口部１２の内側縁に開口枠１４が設けられている。
【００２４】
開口枠１４は、図２に示すように、開口部１２の左右両側縁に設けられた２つの縦枠２０と、開口部１２の上側縁に設けられた横枠２２とを有しており、縦枠２０および横枠２２には、戸１６が当たる棒状の戸当り２４が取り付けられている。
【００２５】
戸１６は、図２に示すように、開口部１２を塞ぐ板状の戸パネル２６と、戸パネル２６の両主面に取り付けられたハンドル２８と、戸パネル２６の幅方向一方端面に出入自在に設けられ、縦枠２０に取り付けられた凹状金具（図示省略）に係止される係止金具３０とによって構成されている。
【００２６】
そして、戸１６が開口枠１４の縦枠２０に蝶番３２を介して開閉自在に取り付けられている。したがって、戸１６を開く際には、ハンドル２８に手を掛けて戸パネル２６を開方向へ回動させることになり、戸１６を閉じる際には、ハンドル２８に手を掛けて戸パネル２６を閉方向へ回動させることになる。
【００２７】
緩衝装置１８は、図１および図２に示すように、開口枠１４を介して開口部１２に取り付けられた緩衝装置本体３４と、緩衝装置本体３４と対向するようにして戸１６に取り付けられた吸着部材３６とを備えている。
【００２８】
緩衝装置本体３４は、図３および図４に示すように、ケース３８、蓋４０、移動部４２、吸着部４４、保持部４６および移動手段４８によって構成されている。
【００２９】
ケース３８は、図５に示すように、合成樹脂または金属等によって形成された平面視略長方形の箱状部材であり、ケース３８の中央部には、ダンパ収容部５０が形成されており、ダンパ収容部５０を挟んだ両側には、スプリング収容部５２および保持部収容部５４が形成されている。また、ダンパ収容部５０とスプリング収容部５２との間、およびダンパ収容部５０と保持部収容部５４との間には、移動部収容部５６が形成されている。さらに、ケース３８の前面には、移動部収容部５６に連通する開口部５８が形成されており、ケース３８の３つの隅部には、ケース３８を厚さ方向へ貫通する貫通孔６０が形成されている。
【００３０】
そして、ケース３８に対して移動部４２、吸着部４４、保持部４６および移動手段４８が組み込まれ（図３、図４）、その後、ケース３８の上面に板状の蓋４０が装着される。
【００３１】
移動部４２は、図６に示すように、略四角形の板状の取付部６２と、取付部６２の幅方向一方側縁から取付部６２の主面に直交する方向へ延びて形成された板状の第１アーム６４と、取付部６２の幅方向他方側縁から取付部６２の主面に直交する方向へ延びて形成された板状の第２アーム６６と、第１アーム６４の端部に設けられた板状のスプリング係止部６８と、第２アーム６６の端部に設けられた板状の吸着部取付部７０とによって戸１６の開閉方向へ移動可能（図８、図９）に構成されている。そして、取付部６２には、移動手段４８のピストンロッド８２ａと接合するためのネジ（図示省略）が挿通される貫通孔６２ａが形成されており、スプリング係止部６８には、移動手段４８の駆動スプリング７６が係止される係止溝６８ａが形成されている。
【００３２】
移動部４２をケース３８に組み込む際には、図３および図４に示すように、第１アーム６４および第２アーム６６がケース３８の移動部収容部５６に摺動自在に収容される。また、スプリング係止部６８がスプリング収容部５２に摺動自在に収容されるとともに、吸着部取付部７０が保持部収容部５４に摺動自在に収容される。そして、第１アーム６４および第２アーム６６の先端部が開口部５８からケース３８の前方へ突出され、これによりケース３８の前方に取付部６２が配置される。
【００３３】
吸着部４４は、吸着部材３６と吸着可能な磁石からなる板状部材であり、移動部４２の取付部６２にネジまたは接着剤等の固定手段（図示省略）によって取り付けられている。
【００３４】
なお、吸着部４４は、吸着部材３６と磁力により吸着（磁着）されるものであればよく、吸着部材３６が磁石で形成されている場合には、吸着部４４は鉄等の強磁性体で形成されてもよい。また、吸着部４４および／または吸着部材３６を構成する磁石の種類は、特に限定されるものではなく、硬質のものの他、合成ゴムや合成樹脂に粉末状の磁石を練り込んだ弾力性のあるボンド磁石等が用いられてもよい。さらに、吸着部４４および吸着部材３６の形状は、特に限定されるものではなく、本実施例のような四角形の他、円形、楕円形または六角形等であってもよい。ボンド磁石を用いた場合には、吸着時における衝撃を緩和できるので、戸１６を閉める際に生じる音を低減できる。
【００３５】
保持部４６は、移動部４２を所定位置で保持するものであり、磁石からなる板状の移動側吸着部７２と、鉄等の強磁性体からなる板状の固定側吸着部７４とによって構成されている。そして、移動側吸着部７２が、移動部４２の吸着部取付部７０にネジまたは接着剤等の固定手段（図示省略）によって取り付けられており、固定側吸着部７４が、ケース３８における保持部収容部５４の前側の内側面にネジまたは接着剤等の固定手段（図示省略）によって取り付けられている。
【００３６】
なお、移動側吸着部７２は、固定側吸着部７４と磁力により吸着（磁着）されるものであればよく、固定側吸着部７４が磁石で形成されている場合には、移動側吸着部７２は鉄等の強磁性体で形成されてもよいし、移動側吸着部７２および固定側吸着部７４の両方が磁石で形成されてもよい。また、移動側吸着部７２および／または固定側吸着部７４を構成する磁石の種類は、特に限定されるものではなく、硬質のものの他、合成ゴムや合成樹脂に粉末状の磁石を練り込んだ弾力性のあるもの（ボンド磁石）等が用いられてもよい。
【００３７】
移動側吸着部７２と固定側吸着部７４との吸着力は、移動手段４８が移動部４２を引き込む力よりも大きく設定されている。これは、移動手段４８による引き込み力に抗して、移動部４２を所定位置で保持するためである。
【００３８】
移動手段４８は、保持部４６の保持状態が解除された状態において戸１６を完全に閉めるように移動部４２を速度制御しながら移動させるものであり、移動部４２へ移動に要する力を付与する駆動スプリング７６と、移動部４２へ速度制御に要する力を付与する速度制御部７８とによって構成されている。
【００３９】
駆動スプリング７６は、ケース３８におけるスプリング収容部５２に収容されたコイル状のスプリングであり、駆動スプリング７６の一端は、スプリング収容部５２の後端部に係止されており、駆動スプリング７６の他端は、移動部４２のスプリング係止部６８（係止溝６８ａ）に係止されている。駆動スプリング７６の長さは、移動部４２を引き込むことができるように、スプリング収容部５２の長さよりも十分に短く設定されている。
【００４０】
速度制御部７８は、移動部４２に加えられた衝撃を吸収するダンパであり、ケース３８におけるダンパ収容部５０に収容された筒状のシリンダ８０と、シリンダ８０の内部に収容されたピストン８２とによって構成されており、シリンダ８０の内部には、図７に示すように、オイル８４が充填されている。
【００４１】
ピストン８２は、棒状のピストンロッド８２ａと、ピストンロッド８２ａの先端に取り付けられたピストンヘッド８２ｂとを有しており、ピストンヘッド８２ｂには、オイル８４を通過させる孔８６が形成されている。そして、ピストンロッド８２ａが開口部５８からケース３８の前方へ引き出されており、このピストンロッド８２ａの先端に移動部４２を構成する取付部６２が貫通孔６２ａに挿通されたネジ（図示省略）によって固定されている。
【００４２】
吸着部材３６（図１、図２）は、吸着部４４と吸着可能な強磁性体からなる板状部材であり、戸１６の表面における緩衝装置本体３４と対向する位置に、ネジまたは接着剤等の固定手段（図示省略）によって取り付けられている。
【００４３】
なお、吸着部材３６は、吸着部４４と磁力により吸着（磁着）されるものであればよく、吸着部４４が鉄等の強磁性体で形成されている場合には、吸着部材３６は磁石で形成されてもよいし、吸着部４４および吸着部材３６の両方が磁石で形成されてもよい。また、吸着部材３６の種類および形状は、吸着部４４の説明で言及したように、特に限定されるものではない。そして、吸着部材３６を目立ち難くするために、吸着部材３６の表面に戸パネル２６と同じ柄の化粧シートを貼り付けたり、戸パネル２６と同じ色で着色したりしてもよい。
【００４４】
戸構造１０を構成する際には、建物の開口部１２に開口枠１４が取り付けられ、その後、開口枠１４を構成する一方の縦枠２０に蝶番３２を介して戸１６が取り付けられる。そして、開口枠１４（横枠２２）の上部に設けられた戸当り２４の一部が切除され、その部分に緩衝装置本体３４がネジ８８（図３、図４）によって取り付けられる。また、戸１６を構成する戸パネル２６の上部に吸着部材３６がネジまたは接着剤等によって取り付けられる。なお、開口部１２の構造によっては、開口枠１４が不要になる場合があるが、その場合には、開口部１２の上部に緩衝装置本体３４が開口枠１４を介さず直接取り付けられる。
【００４５】
戸構造１０において、戸１６を閉める際には、戸１６のハンドル２８に手を掛けて戸パネル２６を閉方向へ回動させる。すると、図８に示すように、戸１６が完全に閉められる直前の所定位置Ｐにおいて、緩衝装置本体３４の吸着部４４が吸着部材３６に磁力により吸着される。すると、吸着時の衝撃によって保持部４６の保持状態が解除されるとともに、移動手段４８によって移動部４２が速度制御されながら移動され、図９に示すように、移動手段４８から付与される力によって戸１６が完全に閉められる。つまり、戸１６を構成する戸パネル２６が開口枠１４に取り付けられた戸当り２４に当接される。
【００４６】
なお、指Ｆが挟まれる事故を防止する観点からは、吸着部４４が吸着部材３６に吸着される位置Ｐを、戸１６と開口枠１４との間に指Ｆが入る程度の隙間Ｓを確保できる位置に設定しておくことが望ましく、この位置Ｐは、ケース３８の前方へ突出する移動部４２の突出長さを変更することで調整可能である。
【００４７】
一方、戸１６を開ける際には、戸１６のハンドル２８に手を掛けて戸パネル２６を開方向へ回動させる。すると、戸パネル２６の移動に伴って吸着部材３６およびこれに接合された吸着部４４および移動部４２が移動される。そして、移動部４２が所定位置まで移動されたときに、保持部４６を構成する移動側吸着部７２と固定側吸着部７４とが磁力によって吸着され、それにより移動部４２が保持される。その状態から戸パネル２６をさらに開方向へ回動させると、吸着部４４と吸着部材３６との磁力による吸着が解除され、その後は、磁力の影響を受けることなく戸１６が開かれる。
【００４８】
なお、上述の実施例では、緩衝装置本体３４を開口部１２に取り付けるとともに、吸着部材３６を戸１６に取り付けるようにしているが、これとは逆に、吸着部材３６を開口部１２に取り付けるとともに、緩衝装置本体３４を戸１６に取り付けるようにしてもよい。
【００４９】
また、上述の実施例では、移動手段４８を構成する速度制御部７８として「オイル式のダンパ」を用いているが、これに代えて「摩擦式のダンパ」や「ロータリーダンパ」やその他の種類のダンパを用いるようにしてもよい。
【００５０】
また、吸着部４４は、図１０に示すように、移動部４２の取付部６２に対して、鉛直方向へ延びる回動軸９０を介して首振り自在に取り付けられてもよい。この場合には、戸１６の角度に合わせて吸着部４４が動くため、吸着部４４と吸着部材３６とをよりスムーズかつ確実に吸着することができる。
【００５１】
また、保持部４６は、図１１に示すように、スプリング収容部５２の内部で構成されてもよい。この場合には、移動部４２のスプリング係止部６８に移動側吸着部７２が取り付けられるとともに、スプリング収容部５２の前側の内側面に固定側吸着部７４が取り付けられ、移動側吸着部７２と固定側吸着部７４とが磁力により吸着される。したがって、保持部４６を収容する保持部収容部５４を別に形成する必要がなく、緩衝装置１８を小型化できる。
【００５２】
そして、移動手段４８においては、速度制御部７８としての「ダンパ」の内部に駆動スプリング７６を設けるようにしてもよい。この場合には、速度制御部７８と駆動スプリング７６とを並べて配設する場合に比べて、これらの設置スペースを小さくすることができるので、緩衝装置１８を小型化できる。
【００５３】
さらに、緩衝装置１８は、図１２に示すような戸構造（引き戸）にも適用可能である。この場合には、戸９２がその主面に対して平行方向（図１２の左右方向）へ往復移動されるため、戸９２の表面に板状の吸着部材３６が垂直に取り付けられるとともに、開口部１２の上部における吸着部材３６と対向する位置に緩衝装置本体３４が取り付けられることになる。この場合でも、指が挟まれる事故を防止する観点から、吸着部４４が吸着部材３６に吸着される位置Ｐを、戸９２と開口枠１４との間に指が入る程度の隙間Ｓを確保できる位置に設定しておくことが望ましい。
【図面の簡単な説明】
【００５４】
【図１】戸構造（開き戸）を示す一部断面平面図
【図２】戸構造（開き戸）を示す正面図
【図３】緩衝装置を示す斜視図
【図４】緩衝装置を示す平面図
【図５】ケースを示す斜視図
【図６】移動部を示す斜視図
【図７】速度制御部（ダンパ）を示す断面図
【図８】緩衝装置の動作（開状態）を示す一部断面平面図
【図９】緩衝装置の動作（閉状態）を示す一部断面平面図
【図１０】吸着部の変形例（首振り自在）を示す平面図
【図１１】他の緩衝装置を示す平面図
【図１２】他の戸構造（引き戸）を示す正面図
【符号の説明】
【００５５】
１０…  戸構造
１２…  開口部
１４…  開口枠
１６，９２…  戸
１８…  緩衝装置
２６…  戸パネル
３４…  緩衝装置本体
３６…  吸着部材
４２…  移動部
４４…  吸着部
４６…  保持部
４８…  移動手段
７２…  移動側吸着部
７４…  固定側吸着部
７６…  駆動スプリング
７８…  速度制御部
８０…  シリンダ
８２…  ピストン
【図１】
2008133659.tif 000003
【図２】
2008133659.tif 000004
【図３】
2008133659.tif 000005
【図４】
2008133659.tif 000006
【図５】
2008133659.tif 000007
【図６】
2008133659.tif 000008
【図７】
2008133659.tif 000009
【図８】
2008133659.tif 000010
【図９】
2008133659.tif 000011
【図１０】
2008133659.tif 000012
【図１１】
2008133659.tif 000013
【図１２】
2008133659.tif 000014